(57)【要約】【課題】照明器具に赤外線受信部を設けることなく、かつ、ペアリング専用の端末を用いることなく、ユーザが選択した照明器具のみを容易にペアリングし、または容易にペアリング解除できるペアリング方法を提供することである。【解決手段】ペアリング方法は、ユーザが無線リモコンに指示することに応じて、無線リモコンは、無線信号の強度レベルを徐々に大きくするように複数のペアリング予備信号を順に発信させ、無線リモコンが、照明器具から応答信号を受信したときに、ペアリング予備信号の強度レベルに応じて複数の照明器具の仮グループ分けをするステップと、無線リモコンが、各仮グループに含まれる照明器具に対し、１つずつ順に点灯状態を変化させる指示を行い、ユーザの操作に応じて点灯変化の指示対象の照明器具についてペアリングの選択信号または除外信号を発信して、複数の照明器具からペアリングするグループを決定するステップとを含む。【選択図】図５
2020194627.tif 000002
【特許請求の範囲】
【請求項１】
所定位置に設置され無線コマンドを送信する親機としての無線リモコンと、前記無線リモコンから前記無線コマンドを受信し、前記無線リモコンとペアリングされている場合に前記無線コマンドに従って動作する複数の子機としての照明器具とを備える照明システムにおいて、前記無線リモコンとユーザが選択した前記照明器具とをペアリングするか、またはペアリングを解除するペアリング方法であって、
前記ユーザが前記無線リモコンに指示することに応じて、前記無線リモコンは、前記無線リモコンが発する無線信号の強度レベルを徐々に大きくするように複数のペアリング予備信号を順に発信させ、複数の前記照明器具は、前記無線リモコンから前記ペアリング予備信号を受信したときに応答信号を発信し、前記無線リモコンは、前記照明器具から前記ペアリング予備信号を受信したことを表す応答信号を受信したときに、前記ペアリング予備信号の強度レベルに応じて複数の前記照明器具の仮グループ分けをするステップと、
前記無線リモコンが、複数の仮グループのそれぞれに含まれる前記照明器具に対し、１つずつ順に点灯状態を変化させる指示を行い、前記ユーザが、前記無線リモコンを用いてペアリング対象に選択する操作を行ったときに、点灯変化の指示対象の前記照明器具についてペアリング選択信号を発信してペアリングを行い、前記ユーザが、前記無線リモコンを用いてペアリング対象から除外する操作を行ったときに、点灯変化の指示対象の前記照明器具についてペアリング除外信号を発信してペアリングを行わないように、複数の前記照明器具からペアリングするグループを決定するステップと、を含む、
照明システムのペアリング方法。
【請求項２】
請求項１に記載された照明システムのペアリング方法において、
複数の前記照明器具の仮グループ分けをするステップは、強度レベルの最小の前記ペアリング予備信号について応答信号があった前記照明器具から、強度レベルが大きくなる前記ペアリング予備信号について応答信号があった前記照明器具側に順に仮グループを設定し、第１の強度レベルの前記ペアリング予備信号について第１の仮グループを設定した後、前記第１の強度レベルより大きい第２の強度レベルの前記ペアリング予備信号について第２の仮グループを設定する場合に、前記第２の仮グループから前記第１の仮グループを除外する、
照明システムのペアリング方法。
【請求項３】
所定位置に設置され無線コマンドを送信する親機としての無線リモコンと、前記無線リモコンから前記無線コマンドを受信し、前記無線リモコンとペアリングされている場合に前記無線コマンドに従って動作する複数の子機としての照明器具とを備える照明システムにおいて、前記無線リモコンとユーザが選択した前記照明器具とをペアリングするか、またはペアリングを解除するペアリング方法であって、
前記ユーザが前記無線リモコンに指示することに応じて、前記無線リモコンは、前記無線リモコンが発する無線信号の強度レベルを徐々に大きくするように複数のペアリング予備信号を順に発信させ、複数の前記照明器具は、前記無線リモコンから前記ペアリング予備信号を受信したときに応答信号を発信し、前記無線リモコンは、前記照明器具から前記ペアリング予備信号を受信したことを表す応答信号を受信したときに、前記ペアリング予備信号の強度レベルに応じた仮グループを設定し、前記ペアリング予備信号を受けた同じ仮グループに含まれる前記照明器具に対し、１つずつ順に点灯状態を変化させる指示を行い、前記ユーザが、前記無線リモコンを用いてペアリング対象に選択する操作を行ったときに、点灯変化の指示対象の前記照明器具についてペアリング選択信号を発信してペアリングを行い、前記ユーザが、前記無線リモコンを用いてペアリング対象から除外する操作を行ったときに、点灯変化の指示対象の前記照明器具についてペアリング除外信号を発信してペアリングを行わないように、複数の前記照明器具からペアリングするグループを決定する、
照明システムのペアリング方法。
【請求項４】
請求項３に記載された照明システムのペアリング方法において、
第１の強度レベルの前記ペアリング予備信号について第１の仮グループを設定した後、前記第１の強度レベルより大きい第２の強度レベルの前記ペアリング予備信号について第２の仮グループを設定する場合に、前記第２の仮グループから前記第１の仮グループを除外する、
照明システムのペアリング方法。
【請求項５】
所定位置に設置され無線コマンドを送信する親機としての無線リモコンと、前記無線リモコンから前記無線コマンドを受信し、前記無線リモコンとペアリングされている場合に前記無線コマンドに従って動作する複数の子機としての照明器具とを備える照明システムにおいて、前記無線リモコンとユーザが選択した前記照明器具とをペアリングするか、またはペアリングを解除するペアリング方法であって、
前記ユーザが前記無線リモコンに対して指示をすることに応じて、前記無線リモコンは、前記無線リモコンが発する無線信号の強度レベルを徐々に大きくするように複数のペアリング予備信号を順に発信させ、複数の前記照明器具は、前記無線リモコンから前記ペアリング予備信号を受信したときに応答信号を発信し、前記無線リモコンは、前記照明器具から前記ペアリング予備信号を受信したことを表す応答信号を受信したときに、前記ペアリング予備信号の強度レベルに応じて複数の前記照明器具の仮グループ分けをし、ペアリングを行うステップと、
前記無線リモコンが、複数の仮グループのそれぞれに含まれる前記照明器具に対し、１つずつ順に点灯状態を変化させる指示を行い、点灯変化の指示対象の前記照明器具について、前記ユーザが、前記無線リモコンを用いてペアリング対象から除外する操作を行ったときには、点灯変化の指示対象の前記照明器具についてペアリング除外信号を発信してペアリングを行わないようにすることで、複数の前記照明器具からペアリングするグループを決定するステップと、を含む、
照明システムのペアリング方法。
【発明の詳細な説明】
【技術分野】
【０００１】
本開示は、照明システムのペアリング方法に関する。
【背景技術】
【０００２】
特許文献１には、壁に設置された無線リモコン（無線方式の遠隔操作機）が複数の照明器具とペアリングし、ペアリングされていない照明器具は、赤外線リモコンで制御される照明システムが記載されている。
【先行技術文献】
【特許文献】
【０００３】
【特許文献１】特開２０１６−２０１２７０号公報
【発明の概要】
【発明が解決しようとする課題】
【０００４】
特許文献１に記載された照明システムでは、複数の照明器具を無線リモコンでペアリングする場合において、ユーザが選択した照明器具のみをペアリングするために、全ての照明器具に赤外線コマンドを受け付ける赤外線受信部を設ける必要がある。これにより、部品点数が多くなり、部品コストがかかる原因となる。一方、ユーザが大きな表示画面を利用したＧＵＩ方式の携帯端末を用いて、画面に配置位置が表示された複数の照明器具からペアリング対象を選択し、それに応じてその携帯端末が、選択された照明器具の識別番号を特定しその識別番号を含む無線信号のペアリング信号を発信させることも考えられる。この場合には、ユーザが選択した照明器具のみを無線通信によってペアリングできる可能性がある。しかしながら、この場合には、ペアリング専用の端末を用いる必要があるので、端末のコストがかかる原因となる。上記では、ペアリングを行う場合の不都合を説明したが、ユーザが選択した照明器具のみをペアリング解除する場合も同様の不都合が生じる。
【０００５】
本開示の目的は、照明器具に赤外線受信部を設けることなく、かつ、ペアリング専用の端末を用いることなく、ユーザが選択した照明器具のみを容易にペアリングし、または容易にペアリング解除することができる照明システムのペアリング方法を提供することである。
【課題を解決するための手段】
【０００６】
本開示の一態様である照明システムのペアリング方法は、所定位置に設置され無線コマンドを送信する親機としての無線リモコンと、無線リモコンから無線コマンドを受信し、無線リモコンとペアリングされている場合に無線コマンドに従って動作する複数の子機としての照明器具とを備える照明システムにおいて、無線リモコンとユーザが選択した照明器具とをペアリングするか、またはペアリングを解除するペアリング方法であって、ユーザが無線リモコンに指示することに応じて、無線リモコンは、無線リモコンが発する無線信号の強度レベルを徐々に大きくするように複数のペアリング予備信号を順に発信させ、複数の照明器具は、無線リモコンからペアリング予備信号を受信したときに応答信号を発信し、無線リモコンは、照明器具からペアリング予備信号を受信したことを表す応答信号を受信したときに、ペアリング予備信号の強度レベルに応じて複数の照明器具の仮グループ分けをするステップと、無線リモコンが、複数の仮グループのそれぞれに含まれる照明器具に対し、１つずつ順に点灯状態を変化させる指示を行い、ユーザが、無線リモコンを用いてペアリング対象に選択する操作を行ったときに、点灯変化の指示対象の照明器具についてペアリング選択信号を発信してペアリングを行い、ユーザが、無線リモコンを用いてペアリング対象から除外する操作を行ったときに、点灯変化の指示対象の照明器具についてペアリング除外信号を発信してペアリングを行わないように、複数の照明器具からペアリングするグループを決定するステップと、を含む、照明システムのペアリング方法である。
なお、本開示において、「ペアリング方法」は、無線リモコンと照明器具とをペアリングする方法と、無線リモコンと照明器具とのペアリングを解除する方法との両方の意味を含む。
【０００７】
本開示の一態様である照明システムのペアリング方法は、所定位置に設置され無線コマンドを送信する親機としての無線リモコンと、無線リモコンから無線コマンドを受信し、無線リモコンとペアリングされている場合に無線コマンドに従って動作する複数の子機としての照明器具とを備える照明システムにおいて、無線リモコンとユーザが選択した照明器具とをペアリングするか、またはペアリングを解除するペアリング方法であって、ユーザが無線リモコンに指示することに応じて、無線リモコンは、無線リモコンが発する無線信号の強度レベルを徐々に大きくするように複数のペアリング予備信号を順に発信させ、複数の照明器具は、無線リモコンからペアリング予備信号を受信したときに応答信号を発信し、無線リモコンは、照明器具からペアリング予備信号を受信したことを表す応答信号を受信したときに、ペアリング予備信号の強度レベルに応じた仮グループを設定し、ペアリング予備信号を受けた同じ仮グループに含まれる照明器具に対し、１つずつ順に点灯状態を変化させる指示を行い、ユーザが、無線リモコンを用いてペアリング対象に選択する操作を行ったときに、点灯変化の指示対象の照明器具についてペアリング選択信号を発信してペアリングを行い、ユーザが、無線リモコンを用いてペアリング対象から除外する操作を行ったときに、点灯変化の指示対象の照明器具についてペアリング除外信号を発信してペアリングを行わないように、複数の照明器具からペアリングするグループを決定する、照明システムのペアリング方法である。
【０００８】
本開示の一態様である照明システムのペアリング方法は、所定位置に設置され無線コマンドを送信する親機としての無線リモコンと、無線リモコンから無線コマンドを受信し、無線リモコンとペアリングされている場合に無線コマンドに従って動作する複数の子機としての照明器具とを備える照明システムにおいて、無線リモコンとユーザが選択した照明器具とをペアリングするか、またはペアリングを解除するペアリング方法であって、ユーザが無線リモコンに対して指示をすることに応じて、無線リモコンは、無線リモコンが発する無線信号の強度レベルを徐々に大きくするように複数のペアリング予備信号を順に発信させ、複数の照明器具は、無線リモコンからペアリング予備信号を受信したときに応答信号を発信し、無線リモコンは、照明器具からペアリング予備信号を受信したことを表す応答信号を受信したときに、ペアリング予備信号の強度レベルに応じて複数の照明器具の仮グループ分けをし、ペアリングを行うステップと、無線リモコンが、複数の仮グループのそれぞれに含まれる照明器具に対し、１つずつ順に点灯状態を変化させる指示を行い、点灯変化の指示対象の照明器具について、ユーザが、無線リモコンを用いてペアリング対象から除外する操作を行ったときには、点灯変化の指示対象の照明器具についてペアリング除外信号を発信してペアリングを行わないようにすることで、複数の照明器具からペアリングするグループを決定するステップと、を含む、照明システムのペアリング方法である。
【発明の効果】
【０００９】
本開示の一態様である照明システムのペアリング方法によれば、照明器具に赤外線受信部を設けることなく、かつ、ペアリング専用の帯端末を用いることなく、ユーザが選択した照明器具のみを容易にペアリングし、または容易にペアリング解除することができる。
【図面の簡単な説明】
【００１０】
【図１】実施形態の一例のペアリング方法を適用する照明システムを示す図である。
【図２】図１の照明システムを構成する無線リモコンと複数の照明器具との配置関係と、強度が異なる複数のペアリング予備信号の到達限界とを示す概略図である。
【図３】図１の照明システムにおいて、無線リモコンと照明器具との構成を示すブロック図である。
【図４】実施形態の一例の照明システムのペアリング方法を示すフローチャートである。
【図５】実施形態の一例の照明システムのペアリング方法において、無線リモコン側の処理を示すフローチャートである。
【図６】実施形態の一例の照明システムのペアリング方法において、照明器具側の処理を示すフローチャートである。
【図７】実施形態の別例の照明システムのペアリング方法において、無線リモコン側の処理を示すフローチャートである。
【図８】実施形態の別例の照明システムのペアリング方法において、無線リモコン側の処理を示すフローチャートである。
【図９】実施形態の別例の照明システムのペアリング方法において、照明器具側の処理を示すフローチャートである。
【発明を実施するための形態】
【００１１】
以下、図面を参照しながら、本開示に係る照明システムのペアリング方法及びそのペアリング方法を適用する照明システムの実施形態について詳細に説明する。但し、本開示は以下で説明する実施形態に限定されない。以下の説明では、同様の要素には同一の符号を付して説明する。
【００１２】
本開示のシステムの主体は、コンピュータを備えている。このコンピュータがプログラムを実行することによって、本開示のシステムの主体の機能が実現される。コンピュータは、プログラムに従って動作するプロセッサを主なハードウェア構成として備える。プロセッサは、プログラムを実行することによって上記機能を実現することができれば、その種類は問わない。プロセッサは、集積回路（ＩＣ）または大規模集積回路（ＬＳＩ）を含む１つまたは複数の電子回路で構成される。複数の電子回路は、１つのチップに集積されていてもよく、複数のチップに設けられていてもよい。複数のチップは、１つの装置に集約されていてもよく、複数の装置に備えられていてもよい。また、プログラムは、コンピュータが読み取り可能なＲＯＭ、光ディスク、ハードディスクドライブ等の非一時的記憶媒体に記憶される。プログラムは、記憶媒体に予め格納されていてもよく、インターネット等を含む広域通信網を介して記憶媒体に供給されてもよい。
【００１３】
図１は、実施形態の一例のペアリング方法を適用する照明システム１０を示す図である。図２は、照明システム１０を構成する無線リモコン３０と複数の照明器具１２との配置関係と、強度が異なる複数のペアリング予備信号の到達限界とを示す概略図である。照明システム１０は、複数の照明器具１２と、無線リモコン３０とを備える。照明システム１０が備える照明器具１２の数は特に限定されない。複数の照明器具１２のそれぞれは、例えば蛍光灯形ライトである。照明器具１２は、シーリングライト、ダウンライト、スポットライト等の他の種類としてもよい。複数の照明器具１２は、例えば調光率の変更を可能に構成される。
【００１４】
複数の照明器具１２は、例えば図２に示すように、室内の天井において、水平方向の第１方向（図１の左右方向）に沿って複数列に配置され、複数列のそれぞれで第１方向に対し直交する水平方向の第２方向（図１の上下方向）に、複数個が配置されるように取り付けられる。これにより、複数の照明器具１２は第１方向と第２方向とに整列して配置される。
【００１５】
無線リモコン３０は、例えば図２に示すように、第１方向の一端部（図２の右端部）で第２方向の一端部（図２の下端部）の近くにおいて、室内の壁面の所定位置に設置される。無線リモコン３０は、照明器具１２の点灯状態を変化させる等のために、照明器具１２に無線コマンドを送信する親機として使用される。
【００１６】
図１に示すように、複数の照明器具１２及び無線リモコン３０は、壁に設置された壁スイッチ５０を介して電線Ｌが接続され、壁スイッチ５０のオンオフによって、商用交流電源５１からの電力の供給または供給停止が切り換えられる。
【００１７】
さらに、複数の照明器具１２は、無線リモコン３０から無線コマンドを受信し、無線リモコン３０とペアリングされている場合に、無線コマンドに従って動作する複数の子機として使用される。照明器具１２が無線リモコン３０の識別情報を有効に記憶していることが、その照明器具１２が無線リモコン３０とペアリングされていることを意味する。ペアリングは、照明器具１２が無線リモコン３０の識別情報を記憶していればよいが、さらに、無線リモコン３０が照明器具１２の識別情報、機種情報、または予め照明器具１２毎に設定された乱数等を記憶してもよい。
【００１８】
照明器具１２は、電源がオン、すなわち電力が供給されたときに、初期等、無線リモコン３０とのペアリングがされていない場合に、ペアリングを可能とするように動作する。
【００１９】
図３は、照明システム１０において、無線リモコン３０と照明器具１２との構成を示すブロック図である。照明器具１２は、光源部１４と、通信部１６と、制御部１８とを有する。光源部１４は、例えば、１つ以上のＬＥＤ（light emitting diode）を含み、ＬＥＤが発光することで、光源部１４から照明光が出射される。なお、光源部１４は、ＬＥＤ以外の発光素子を含んでもよく、半導体レーザ素子や、有機ＥＬ（Electro Luminescence）素子、または無機ＥＬ素子等の固体発光素子等を含んでもよい。
【００２０】
照明器具１２の通信部１６は、無線リモコン３０から送信される無線コマンドや、後述のペアリング予備信号、ペアリング選択信号、またはペアリング除外信号を受信する。照明器具１２は、無線リモコン３０との間で、如何なる無線規格を用いて無線通信を行ってもよく、例えば、９２０ＭＨｚ等の周波数を利用する特定小電力無線や、無線ＬＡＮ等の無線通信を行ってもよい。通信部１６はアンテナを含んでもよい。
【００２１】
照明器具１２は、通信部１６で受信した無線コマンドに基づいて光源部１４の点灯状態を変更し、光源部１４の調光率（明るさの度合）を変更することが可能である。詳しくは、照明器具１２は、電源回路を有し、商用交流電源５１からの交流電力を直流電力に変換する。また、当該直流電力は、トランジスタ等のスイッチング素子を含むスイッチング回路を介して光源部１４に供給される。スイッチング回路は、制御部１８で制御される。これにより、スイッチング回路がオフされることで、直流電力が光源部１４に供給されず、光源部１４が消灯する。一方、スイッチング回路がオンされると、直流電力が光源部１４に供給されて、光源部１４が点灯する。光源部１４の調光率は、例えば、パルス幅変調（ＰＷＭ：Pulse Width Modulation）調光方式で変更され、スイッチング素子のオンオフ時間を制御することで変更される。なお、光源部１４の調光率は、アナログ調光の技術を用いて変更されてもよい。制御部１８は、通信部１６での信号受信や、信号発信も制御する。制御部１８は、後述のペアリングの選択がされたときに、無線リモコン３０の識別番号等の識別情報である親機ＩＤを記憶する記憶部を有する。
【００２２】
無線リモコン３０は、操作部３１、通信部３２、表示部３３及び制御部３４を備える。無線リモコン３０は、商用交流電源５１から電力が供給され、電源回路で直流電力に変換される。通信部３２は、アンテナを含んでもよい。また、無線リモコン３０は、電力が商用交流電源５１から供給されなくてもよく、電池駆動で動作してもよい。
【００２３】
操作部３１は、ペアリングされている照明器具１２の調光率を増加させる調光率増加スイッチ３１ａと、ペアリングされている照明器具１２の調光率を低下させる調光率低下スイッチ３１ｂと、電源スイッチ３１ｃとを含む。
【００２４】
電源スイッチ３１ｃは、押下操作されたときに、照明器具１２に対する電源供給がオンまたはオフになる。したがって、壁スイッチ５０がオンされている状態で、照明器具１２が消灯状態にあるときに、電源スイッチ３１ｃが押下操作されるとペアリングされている照明器具１２が点灯し、照明器具１２が点灯状態にあるときに、電源スイッチ３１ｃが押下操作されるとペアリングされている照明器具１２が消灯する。
【００２５】
通信部３２（図３）は、後述のペアリング予備信号、ペアリングの選択や除外の信号、または照明操作の無線コマンドを無線信号で発信する。表示部３３は、操作部３１での操作内容等を表示する。制御部３４は、操作部３１の操作に応じて、通信部３２及び表示部３３を制御する。制御部３４は、後述のペアリングのための仮グループに含まれる照明器具１２の識別番号等の識別情報である子機ＩＤを記憶する記憶部を有する。この記憶部は、ペアリングした照明器具１２の識別情報、機種情報、乱数等を記憶してもよい。
【００２６】
次に、無線リモコン３０と、ユーザが選択した照明器具１２とをペアリングし、またはペアリングを解除するための構成と、ペアリング方法とを説明する。
【００２７】
図４は、実施形態の一例の照明システムのペアリング方法を示すフローチャートである。ペアリング方法は、仮グループ分けをするステップＳ１と、ペアリングするグループを決定するステップＳ２とを含む。
【００２８】
仮グループ分けのステップＳ１は、ユーザが無線リモコン３０に指示することに応じて、無線リモコン３０は、無線リモコン３０が発する無線信号の強度レベルを徐々に大きくするように複数のペアリング予備信号を順に発信させる。そして、ステップＳ１は、複数の照明器具１２が、無線リモコン３０からペアリング予備信号を受信したときに応答信号を発信する。「ペアリング予備信号」は、ペアリングするグループを決定するために照明器具１２の仮グループ分けをするために発信される信号であり、無線リモコン３０の親機ＩＤを含んでいてもよい。また、無線リモコン３０は、照明器具１２からペアリング予備信号を受信したことを表す応答信号を受信したときに、ペアリング予備信号の強度レベルに応じて複数の照明器具１２の仮グループ分けをする。
【００２９】
ペアリングするグループを決定するステップＳ２は、無線リモコン３０が、複数の仮グループのそれぞれに含まれる照明器具１２に対し、１つずつ順に点灯状態を変化させる指示を行う。このとき、ユーザが、無線リモコン３０を用いてペアリング対象に選択する操作を行ったときに、無線リモコン３０は、点灯変化の指示対象の照明器具１２についてペアリング選択信号を発信してペアリングを行う。一方、ユーザが、無線リモコン３０を用いてペアリング対象から除外する操作を行ったときには、点灯変化の指示対象の照明器具１２についてペアリング除外信号を発信してペアリングを行わないようにする。これにより、複数の照明器具１２からペアリングするグループが決定される。
【００３０】
このようなペアリング方法によって、小さい強度レベルのペアリング予備信号から順に照明器具１２の仮グループが設定され、それぞれの仮グループからペアリング対象に選択するかまたは除外するかの操作に応じてペアリングするグループが決定される。これによって、一部の照明器具１２のみについてペアリングするか否かをユーザが操作すればよいので、ユーザが選択した照明器具１２のみを容易にペアリングし、または容易にペアリングを解除することができる。さらに、照明器具１２に赤外線受信部を設ける必要がなく、かつ、ペアリング専用の携帯端末を用いる必要もない。
【００３１】
このペアリング方法を、図５に示す無線リモコン３０側の処理を示すフローチャートと、図６に示す照明器具１２側の処理を示すフローチャートとを用いて、より具体的に説明する。図５に示す無線リモコン３０側の制御処理は、無線リモコン３０の制御部３４（図３）によって行われる。まず、図５のステップＳ１０において、ペアリング設定またはペアリング解除の操作があったか否かが判定される。このとき、操作部３１（図１）に、ペアリング設定のためのスイッチと、ペアリング解除のためのスイッチとが別にあってもよく、また、操作部３１に配置された共通のスイッチの所定時間以内の押し下げと、所定時間を超える連続押下とによって、ペアリング設定と、ペアリング解除とが切り替えられてもよい。ステップＳ１０で肯定判定がされた場合（ＹＥＳの場合）、ステップＳ１１に移行して、ペアリング予備信号の強度レベルに対応するレベル値ｉに０を設定する。ステップＳ１０で否定判定の場合（ＮＯの場合）には、ステップＳ１０の処理が繰り返される。
【００３２】
その後、ステップＳ１２でレベル（ｉ＋１）のペアリング予備信号の強度入力を操作部３１で受け付ける。後述のステップＳ１７の処理を行う前ではｉは０であるので、ペアリング予備信号はレベル１である。このとき、例えば全部の照明器具１２にペアリング予備信号が届く強度を１００％とし、０〜１００の間の任意の数値を、強度を表す数値として設定可能としてもよい。このとき、表示部３３に、操作部３１で設定される数値が表示されてもよい。また、調光率増加スイッチ３１ａの押下によって、入力される数値を増大させる方向に調整可能とし、調光率低下スイッチ３１ｂの押下によって、入力される数値を低下させる方向に調整可能としてもよい。強度の数値が決定された場合に、ユーザが操作部３１の決定スイッチ３１ｄを押し下げることによって、無線リモコン３０は、その決定された強度でレベル（ｉ＋１）のペアリング予備信号を発信させる（ステップＳ１３）。
【００３３】
次に、ステップＳ１４において１つまたは複数の照明器具１２からペアリング予備信号に対する応答信号を受信し、その応答信号を発した照明器具１２の少なくとも一部から仮グループが設定される（ステップＳ１５）。例えば、後述するように図２では、「１」の符号を付した３つの照明器具１２が、レベル１のペアリング予備信号を受信し、応答信号を発信した器具であり、それらの照明器具１２によってレベル１の仮グループが設定される。そして、ステップＳ１６において、ユーザによって、操作部３１を用いてグループ分け終了を指示する操作があったか否かが判定される。このとき、表示部３３に「グループ分けを終了しますか？」の表示がされ、操作部３１の肯定を指示するＹスイッチ３１ｅまたは否定を指示するＮスイッチ３１ｆの押下に応じて、無線リモコン３０の制御部３４がグループ分け終了の操作の有無を判定してもよい。
【００３４】
ステップＳ１６で否定判定の場合（ＮＯの場合）には、ステップＳ１７に移行して、レベル値ｉに（ｉ＋１）が代入され、レベル値ｉが１増加する。その後、ステップＳ１２に戻って、ステップＳ１２からステップＳ１６の処理が繰り返される。
【００３５】
上記のように無線リモコン３０では、強度が異なる複数のペアリング予備信号が発信されるので、例えば、図２に示すように、無線リモコン３０に近い側から、レベル１、レベル２、レベル３、レベル４のペアリング予備信号の順に到達限界が規定される。図２では、レベル１のペアリング予備信号を受信した照明器具１２の仮グループに「１」の符号を付し、レベル２、レベル３、レベル４のペアリング予備信号を受信した照明器具１２の一部から決定される照明器具１２の仮グループにそれぞれ「２」「３」「４」の符号を付している。複数の照明器具１２のうち、レベル１〜４のペアリング予備信号のいずれも受信しない照明器具１２には「５」の符号を付している。また、図２の一点鎖線αで示す領域内の照明器具１２により、ユーザがペアリングをしたい照明器具１２を示している。
【００３６】
また、図５のステップＳ１５において、仮グループを設定する場合に、無線リモコン３０は、強度レベルの最小、すなわちレベル１のペアリング予備信号について応答信号があった照明器具１２から、強度レベルが大きくなるペアリング予備信号について応答信号があった照明器具１２側に、順に仮グループを設定する。このとき、第１の強度レベルのペアリング予備信号について第１の仮グループを設定した後、第１の強度レベルより大きい第２の強度レベルのペアリング予備信号について第２の仮グループを設定する場合に、第２の仮グループから第１の仮グループを除外する。例えば、図２において、レベル２のペアリング予備信号は、実際には「１」の符号が付されたレベル１のペアリング信号を受信した照明器具１２によっても受信される。このとき、「１」の符号が付された照明器具１２が第１の仮グループであり、第２の仮グループを設定する際に、第１の仮グループを除外する。これによって、第１の仮グループの後、第２の仮グループを決定することにより、後述のようにペアリングするグループを決定する場合において、再度、同じ照明器具１２でペアリングの選択または除外の操作を行う必要がなくなる。
【００３７】
図５のステップＳ１６で肯定判定がされた場合（ＹＥＳの場合）には、全ての仮グループが設定されているので、ステップＳ１８に移行する。ステップＳ１８では、無線リモコン３０が、各仮グループの照明器具１２に対し１つずつ順に点灯変化させる指示を表す信号（点灯変化信号）を発信することで、点灯状態を変化させる指示を行う。点灯変化信号は例えば点滅させる指示である。そして、ユーザが、無線リモコン３０を用いてペアリング対象に選択する操作を行ったときに、無線リモコン３０は、点灯変化の指示対象の照明器具１２についてペアリング選択信号を発信してペアリングを行う。一方、ユーザが、無線リモコン３０を用いてペアリング対象から除外する操作を行ったときに、点灯変化の指示対象の照明器具１２についてペアリング除外信号を発信してペアリングを行わないようにする。これにより、複数の照明器具１２からペアリングするグループが決定され、ペアリングまたはその解除のための処理が終了する。
【００３８】
また、図６に示す照明器具１２側の制御処理は、照明器具１２の制御部１８（図３）によって行われる。まず、ステップＳ２０において、壁スイッチ５０がオンされ、照明器具１２に電力が供給された（電源がオンされた）か否かが判定される。ステップＳ２０で肯定判定がされた場合（ＹＥＳの場合）、ステップＳ２１に移行して、無線リモコン３０とペアリングがされていない状態か否かが判定される。ステップＳ２０で否定判定の場合（ＮＯの場合）には、ステップＳ２０の処理が繰り返される。ステップＳ２１で否定判定の場合（ＮＯの場合）には、ステップＳ２２に移行する。ステップＳ２２ではペアリング解除のためのペアリング予備信号を受信したか否かが判定される。このとき、無線リモコン３０でペアリング解除のための操作がされ、ペアリング予備信号が発信された場合には、ペアリング解除のためのペアリング予備信号を受信したことになる。ステップＳ２２で否定判定の場合（ＮＯの場合）には、ペアリングが維持されるため、通常動作、具体的には、無線リモコン３０の無線コマンドの指示に応じて照明器具１２の点灯制御や調光制御が行われる（ステップＳ３０）。一方、ステップＳ２２で肯定判定の場合（ＹＥＳの場合）には、ステップＳ２４に移行する。
【００３９】
ステップＳ２１において、肯定判定の場合（ＹＥＳの場合）には、ペアリングが設定されていない状態であるので、ペアリング設定のための処理が行われる。具体的には、ステップＳ２３において、ペアリング予備信号を受信したか否かが判定され、肯定判定の場合にはステップＳ２４に移行し、否定判定の場合にはステップＳ２３の処理が繰り返される。ステップＳ２４では、第１照明状態として、例えば光源部１４（図３）が調光下限で点灯する。これにより、無線リモコン３０から、強度が徐々に大きくなるペアリング予備信号が送信される毎に、点灯される照明器具１２の範囲が広がっていくので、ユーザは、照明器具１２の仮グループが設定される範囲が広がっていることを容易に認識できる。そして、ステップＳ２４の後には、ステップＳ２５に移行して、照明器具１２から応答信号が無線リモコン３０に発信される。応答信号には、照明器具１２を特定するための子機ＩＤや乱数が含まれる。無線リモコン３０は、上記のように、その応答信号に応じて仮グループを設定する。
【００４０】
次に、ステップＳ２６で、図５のステップＳ１８の処理に応じて、無線リモコン３０から点灯変化信号を受信したか否かが判定される。ステップＳ２６で肯定判定の場合（ＹＥＳの場合）には、ステップＳ２７に移行して、照明器具１２が、第１照明状態とは異なる第２照明状態となる。例えば、照明器具１２が点滅する。これによって、ユーザはペアリングのグループに選択するか否かの対象である照明器具１２を１つずつ認識できる。ステップＳ２６で否定判定の場合（ＮＯの場合）にはステップＳ２６の処理が繰り返される。
【００４１】
そして、ステップＳ２８において、図５のステップＳ１８の処理に応じて、無線リモコン３０からペアリングするグループに選択することを表すペアリング選択信号を受信したか否かが判定される。ステップＳ２８で肯定判定の場合（ＹＥＳの場合）には、無線リモコン３０の識別情報である親機ＩＤが、照明器具１２の記憶部に記憶され、照明器具１２が第２照明状態とは異なる第３照明状態となる。例えば、照明器具１２が調光下限より高い第１調光率で点灯する。そして、ステップＳ３０に移行して通常動作が行われ、処理が終了する。
【００４２】
一方、ステップＳ２８で否定判定の場合（ＮＯの場合）には、ステップＳ３１で、図５のステップＳ１８の処理に応じて、無線リモコン３０からペアリングするグループから除外することを表すペアリング除外信号を受信したか否かが判定される。ステップＳ３１で肯定判定の場合（ＹＥＳの場合）には、親機ＩＤを記憶している場合に親機ＩＤを破棄し、親機ＩＤを記憶していない場合にその状態を維持し、照明器具１２が第２照明状態及び第３照明状態とは異なる第４照明状態となる。例えば、照明器具１２が消灯する、または第１調光率より低く調光下限より高い調光率で点灯し、処理が終了する。一方、ステップＳ３１で否定判定の場合（ＮＯの場合）には、ステップＳ２８に戻って処理が繰り返される。
【００４３】
図５のステップＳ１０〜ステップＳ１７と、図６のステップＳ２０〜ステップＳ２５とが、図４の仮グループ分けのステップに相当する。また、図５のステップＳ１８と、図６のステップＳ２６〜ステップＳ２９、ステップＳ３１、ステップＳ３２とが、図４のペアリングするグループを決定するステップに相当する。
【００４４】
次に図２を用いて、ユーザがペアリングしたい照明器具１２を選択する場合を説明する。例えば、レベル１のペアリング予備信号の受信後、点灯変化信号の受信に対応して、「１」の符号を付した第１の仮グループの照明器具１２が１つずつ順に第２照明状態となり、例えば点滅する。このとき、第１の仮グループの全部が一点鎖線αの領域内のペアリングしたい照明器具１２であるので、ユーザの操作により全部をペアリングする。次に、「２」の符号を付した第２の仮グループの照明器具１２が１つずつ順に点灯変化信号を受信して例えば点滅する。このとき、第２の仮グループの全部がペアリングしたい照明器具１２であるので、ユーザの操作により全部をペアリングする。
【００４５】
次に、「３」の符号を付した第３の仮グループの照明器具１２が１つずつ順に点灯変化信号を受信して例えば点滅する。このとき、第３の仮グループの１０個の照明器具１２のうち、一点鎖線αの領域内の５個の照明器具１２がペアリングしたい照明器具１２であるので、その５個の照明器具１２をペアリングし、残りの照明器具１２をペアリングから除外する。
【００４６】
最後に、「４」の符号を付した第４の仮グループの照明器具１２が１つずつ順に点灯変化信号を受信して例えば点滅する。このとき、第４の仮グループの１１個の照明器具１２のうち、一点鎖線αの領域内の１個の照明器具１２がペアリングしたい照明器具１２であるので、その１個の照明器具１２をペアリングし、残りの照明器具１２をペアリングから除外する。これによって、図２に一点鎖線αで示す領域内の照明器具１２のみがペアリングされ、ペアリングするグループが決定される。このため、ペアリングするグループを決定する場合に、一部の照明器具１２のみについて、ペアリングするか否かをユーザが操作すればよい。したがって、ユーザが選択した照明器具１２のみを容易にペアリングすることができる。ペアリングの解除を行う場合も、ペアリングを行う時と同様に一部の照明器具１２のみについて、ペアリングするか否かをユーザが操作すればよいので、ユーザが選択した照明器具１２のみを容易にペアリング解除することができる。
【００４７】
上記の照明システムのペアリング方法によれば、照明器具１２に赤外線受信部を設けることなく、かつ、ペアリング専用の端末を用いることなく、ユーザが選択した照明器具１２のみを容易にペアリングし、または容易にペアリング解除することができる。
【００４８】
図７は、実施形態の別例の照明システムのペアリング方法において、無線リモコン３０側の処理を示すフローチャートである。本例のペアリング方法を実施する照明システムの基本構成は、図１〜６の照明システム１０と同様である。本例のペアリング方法は、図１〜図６のペアリング方法と異なり、無線リモコン３０は、同じ強度のペアリング予備信号を受信した複数の照明器具１２からの応答信号を受信する毎に、仮グループを設定する。そして、無線リモコン３０は、その仮グループの照明器具１２に対し１つずつ順に点灯状態を変化させる（例えば点滅させる）指示を行い、ユーザの操作に応じてペアリング選択信号またはペアリング除外信号を発信し、その後、ペアリング終了の操作があるまで、次のペアリング予備信号の強度の入力を受け付ける。その強度の入力があった場合には、無線リモコン３０は、上記と同様に同じ強度のペアリング予備信号を受信した複数の照明器具１２からの応答信号を受信する毎に、仮グループを設定し、それ以後、上記と同様の処理を繰り返す。
【００４９】
図７を用いて、本例のペアリング方法における無線リモコン３０側の処理をより具体的に説明する。図８のステップＳ５０〜ステップＳ５５は、図５のステップＳ１０〜ステップＳ１５と同様である。ステップＳ５５の後、ステップＳ５６に移行する。ステップＳ５６では、無線リモコン３０が、同じ仮グループに含まれる照明器具１２に対し１つずつ順に点灯変化させる指示を表す信号（点灯変化信号）を発信することで、点灯状態を変化させる、例えば点滅させる指示を行う。そして、ユーザが、無線リモコン３０を用いてペアリング対象に選択する操作を行ったときに、無線リモコン３０は、点灯変化の指示対象の照明器具１２についてペアリング選択信号を発信してペアリングを行う。一方、ユーザが、無線リモコン３０を用いてペアリング対象から除外する操作を行ったときには、点灯変化の指示対象の照明器具１２についてペアリング除外信号を発信してペアリングを行わないようにする。
【００５０】
そして、ステップＳ５７に移行して、ペアリング終了の操作があったか否かが判定される。このとき、表示部３３に「ペアリングを終了しますか？」の表示がされ、操作部３１の肯定を指示するＹスイッチ３１ｅまたは否定を指示するＮスイッチ３１ｆの押下に応じて、無線リモコン３０の制御部３４（図３）がペアリング終了の操作の有無を判定してもよい。
【００５１】
ステップＳ５７で肯定判定がされた場合（ＹＥＳの場合）には処理が終了する。一方、ステップＳ５７で否定判定の場合（ＮＯの場合）には、ステップＳ５８に移行して、レベル値ｉに（ｉ＋１）が代入され、レベル値ｉが１増加する。その後、ステップＳ５２に戻って、ステップＳ５２からステップＳ５８の処理が繰り返される。これにより、複数の照明器具１２からペアリングするグループが決定される。本例において、照明器具１２側の処理は、図６の処理と同様である。
【００５２】
本例のペアリング方法によっても、図１〜図６の構成と同様に、照明器具１２に赤外線受信部を設けることなく、かつ、ペアリング専用の端末を用いることなく、ユーザが選択した照明器具１２のみを容易にペアリングし、または容易にペアリング解除することができる。本例において、その他の構成及び作用は、図１〜図６の構成と同様である。
【００５３】
図８は、実施形態の別例の照明システムのペアリング方法において、無線リモコン３０側の処理を示すフローチャートであり、図９は、別例のペアリング方法において、照明器具１２側の処理を示すフローチャートである。本例のペアリング方法を実施する照明システムの基本構成は、図１〜６の照明システム１０と同様である。本例のペアリング方法は、図１〜図６のペアリング方法と異なり、ステップＳ１ａとして、無線リモコン３０は複数の照明器具１２からの応答信号に応じて仮グループ分けをするとともに、応答信号を受信した照明器具１２とペアリングを行う。次いで、ステップＳ２ａとして、無線リモコン３０が、複数の仮グループのそれぞれに含まれる照明器具１２に対し、１つずつ順に点灯状態を変化させる指示を行う。このとき、ユーザが、無線リモコン３０を用いてペアリング対象から除外する操作を行ったときには、点灯変化の指示対象の照明器具１２についてペアリング除外信号を発信してペアリングを行わないようにする。一方、ステップＳ２ａでは、図１〜図６のペアリング方法と異なり、ユーザが点灯変化の指示対象の照明器具１２についてペアリング対象に選択することは行わない。これにより、仮グループに含まれる照明器具１２のうち、ペアリングの除外操作が行われなかった複数の照明器具１２によって、ペアリングするグループが決定される。
【００５４】
図８を用いて、本例のペアリング方法における無線リモコン３０側の処理をより具体的に説明する。図８のステップＳ６０〜ステップＳ６７は、図５のステップＳ１０〜ステップＳ１７と同様である。ステップＳ６６で肯定判定の場合（ＹＥＳの場合）には、ステップＳ６８に移行する。ステップＳ６８では、無線リモコン３０が、各仮グループに含まれる照明器具１２に対し１つずつ順に点灯変化させる指示を表す信号（点灯変化信号）を発信することで、点灯状態を変化させる、例えば点滅させる指示を行う。そして、ユーザが、無線リモコン３０を用いてペアリング対象から除外する操作を行ったときには、点灯変化の指示対象の照明器具１２についてペアリング除外信号を発信してペアリングを行わないようにする。
【００５５】
図９を用いて、本例のペアリング方法における照明器具１２側の処理をより具体的に説明する。図９のステップＳ７０〜ステップＳ７３は、図６のステップＳ２０〜ステップＳ２３と同様である。図９のステップＳ７３で、照明器具１２が、ペアリング予備信号を受信したと判定した場合、すなわち肯定判定の場合（ＹＥＳの場合）には、ステップＳ７４に移行する。ステップＳ７４では、照明器具１２は、無線リモコンの親機ＩＤを記憶部に記憶することにより無線リモコン３０とペアリングを行う。これとともに、照明器具１２は、図６のステップＳ２４と同様に第１照明状態となる。
【００５６】
図９のステップＳ７５〜ステップＳ７７は、図６のステップＳ２５〜ステップＳ２７と同様である。そして、ステップＳ７７の後、ステップＳ７８に移行して、照明器具１２が、無線リモコン３０からペアリング除外信号を受信したか否かが判定される。ステップＳ７８で肯定判定の場合には、ステップＳ７９に移行し、親機ＩＤを記憶している場合に親機ＩＤを破棄し、親機ＩＤを記憶していない場合にその状態を維持し、照明器具１２が第１照明状態及び第２照明状態とは異なる第３照明状態となる。この第３照明状態は、図６のステップＳ３２の第４照明状態と同様である。
【００５７】
一方、ステップＳ７８で否定判定の場合（ＮＯの場合）には、ステップＳ８０において、照明器具１２での点灯変化信号の受信から所定時間が経過したか否かが判定される。ステップＳ８０で肯定判定の場合（ＹＥＳの場合）には、ペアリングがされた状態が維持されるので、通常動作が行われ、処理が終了する。一方、ステップＳ８０で否定判定の場合（ＮＯの場合）にはステップＳ７８に戻って処理が繰り返される。
【００５８】
上記において、図８のステップＳ６８でユーザが点灯変化の指示対象の照明器具１２について無線リモコン３０でペアリングの除外操作を行わない場合に、操作部３１の操作に応じて、無線リモコン３０が、現在の点灯変化の指示対象の照明器具１２と、次の指示対象の照明器具１２とに点灯変化信号を発信させてもよい。そして、現在の点灯変化の指示対象の照明器具１２が、図９のステップＳ８０において、再度の点灯変化信号を受信したときに、所定時間の経過の有無に関係なくステップＳ８１の通常動作に移行する構成としてもよい。
【００５９】
本例の構成によれば、ユーザが点灯変化の指示対象の照明器具１２についてペアリングの選択操作を行うことなく、ペアリングするグループが決定される。本例において、その他の構成及び作用は、図１〜図６の構成と同様である。
【００６０】
なお、上述の実施形態は本開示の目的を損なわない範囲で適宜設計変更できる。
【符号の説明】
【００６１】
１０  照明システム、１２  照明器具、１４  光源部、１６  通信部、１８  制御部、３０  無線リモコン、３１  操作部、３２  通信部、３３  表示部、３４  制御部、５０  壁スイッチ、５１  商用交流電源。
【図１】
2020194627.tif 000003
【図２】
2020194627.tif 000004
【図３】
2020194627.tif 000005
【図４】
2020194627.tif 000006
【図５】
2020194627.tif 000007
【図６】
2020194627.tif 000008
【図７】
2020194627.tif 000009
【図８】
2020194627.tif 000010
【図９】
2020194627.tif 000011